【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
シート収納部と、
前記シート収納部に収納されたシートを給送する給送部と、
トナー画像が形成される感光ドラムと、感光ドラム上のトナー画像が転写される中間転写体と、を備え、前記中間転写体に転写されたトナー画像を、前記給送部によって給送されたシートに転写してシート上に画像を形成する画像形成部と、
前記シート収納部に収納されたシートの、前記給送部のシート給送方向の上流端部分に相当する位置で、前記シート収納部内のシートを検知するシート検知センサと、
前記シート検知センサの検知結果に応じて前記画像形成部の画像形成動作を制御する制御部と、を有し、
前記制御部は、前記給送部がシートを給送した際に、前記シート検知センサの検知結果に基づいて前記給送部が前記シート収納部内の最後のシートを給送したことを認識し、かつ前記シート収納部内の最後のシートを給送したことを認識したとき前記最後のシート上に形成するためのトナー画像の次のトナー画像を前記感光ドラムに形成する動作を停止するように前記画像形成部を制御することを特徴とする画像形成装置。
【請求項２】
前記給送部は、前記シート収納部に収納されたシートを給送する給紙ローラと、前記給紙ローラによって給送されたシートを１枚ずつに分離して搬送する分離部と、を含み、
前記シート収納部に収納されたシートの先端から前記分離部までの距離をＤ、
前記分離部から、前記分離部により分離されてから停止したシートの先端までの距離をＥとしたとき、
前記シート検知センサがシートを検知する検知位置は、前記シート収納部に収納されたシートの後端からＤだけ離れた位置よりも前記シート給送方向側であって、前記シート収納部に収納されたシートの後端からＤ＋Ｅだけ離れた位置よりも前記シート給送方向と反対側の位置であることを特徴とする請求項１に記載の画像形成装置。
【請求項３】
前記シート収納部にシート給送方向に移動可能に設けられ、収納されるシートのサイズに応じた位置で前記シートの後端位置を規制する後端規制部材を有し、
前記シート検知センサを前記後端規制部材に設けたことを特徴とする請求項１または２に記載の画像形成装置。
【請求項４】
前記シート検知センサを、収納されるシートのサイズに応じた数だけ前記シート収納部に設けたことを特徴とする請求項１または２に記載の画像形成装置。
【請求項５】
前記シート検知センサの検知結果の前記制御部への送信を無線もしくは電磁誘導にて行うことを特徴とする請求項１乃至４のいずれか１項に記載の画像形成装置。
【請求項６】
前記給送部に設けられ、シートを分離して搬送する分離部と、
前記分離部によって分離されたシートを受け入れて前記画像形成部の方へ搬送するローラ対と、を備え、
前記給送部は、シートの上流端が前記シート検知センサの検知位置を通過し、かつシートの下流端が前記ローラ対に達しない位置で停止するようにシートを前記シート収納部から前記シート給送方向に給送することを特徴とする請求項１に記載の画像形成装置。
【請求項７】
現像位置において前記感光ドラムに形成された静電潜像を現像する現像装置を備え、
前記現像位置から前記感光ドラム上のトナー像が前記中間転写体に転写される１次転写位置までの距離と、前記１次転写位置から前記中間転写体上のトナー像がシートに転写される２次転写位置までの距離とを合わせた距離が、前記シート収納部から前記２次転写位置までにシートが搬送される距離よりも長いことを特徴とする請求項１乃至６のいずれかに記載の画像形成装置。
【請求項８】
第１のシート収納部と、
第２のシート収納部と、
前記第１のシート収納部に収納されたシートを給送する第１給送部と、
前記第２のシート収納部に収納されたシートを給送する第２給送部と、
トナー画像が形成される感光ドラムと、感光ドラム上のトナー画像が転写される中間転写体と、を備え、前記中間転写体に転写されたトナー画像を、前記第１給送部および前記第２給送部によって給送されたシートに転写してシート上に画像を形成する画像形成部と、
前記第１のシート収納部に収納されたシートの、前記第１給送部のシート給送方向の上流端部分に相当する位置で、前記第１のシート収納部内のシートを検知するシート検知センサと、
前記シート検知センサの検知結果に応じて前記第１給送部および第２給送部の給送動作を制御する制御部と、を有し、
前記制御部は、前記第１給送部が前記第１のシート収納部に収納されたシートを給送した際に、前記シート検知センサの検知結果に基づいて前記第１給送部が前記第１のシート収納部内の最後のシートを給送したことを認識し、かつ前記第１のシート収納部内の最後のシートを給送したことを認識したとき前記第２のシート収納部からシートを給送するよう前記第２給送部を制御することを特徴とする画像形成装置。
【請求項９】
前記第１のシート収納部にシート給送方向に移動可能に設けられ、収納されるシートのサイズに応じた位置で前記シートの後端位置を規制する後端規制部材を有し、
前記シート検知センサを前記後端規制部材に設けたことを特徴とする請求項８に記載の画像形成装置。
【請求項１０】
前記第１給送部は、前記第１のシート収納部に収納されたシートを給送する給紙ローラと、前記給紙ローラによって給送されたシートを１枚ずつに分離して搬送する分離部と、を含み、
前記第１のシート収納部に収納されたシートの先端から前記分離部までの距離をＤ、
前記分離部から、前記分離部により分離されてから停止したシートの先端までの距離をＥとしたとき、
前記シート検知センサは、前記第１のシート収納部に収納されたシートの後端からＤだけ離れた位置よりも前記シート給送方向側であって、前記第１のシート収納部に収納されたシートの後端からＤ＋Ｅだけ離れた位置よりも前記シート給送方向と反対側の位置においてシートの有無を検知することを特徴とする請求項８又は９に記載の画像形成装置。
【手続補正２】
【補正対象書類名】明細書
【補正対象項目名】００１９
【補正方法】変更
【補正の内容】
【００１９】
本発明は、シート収納部と、前記シート収納部に収納されたシートを給送する給送部と、トナー画像が形成される感光ドラムと、感光ドラム上のトナー画像が転写される中間転写体と、を備え、前記中間転写体に転写されたトナー画像を、前記給送部によって給送されたシートに転写してシート上に画像を形成する画像形成部と、前記シート収納部に収納されたシートの、前記給送部のシート給送方向の上流端部分に相当する位置で、前記シート収納部内のシートを検知するシート検知センサと、前記シート検知センサの検知結果に応じて前記画像形成部の画像形成動作を制御する制御部と、を有し、前記制御部は、前記給送部がシートを給送した際に、前記シート検知センサの検知結果に基づいて前記給送部が前記シート収納部内の最後のシートを給送したことを認識し、かつ前記シート収納部内の最後のシートを給送したことを認識したとき前記最後のシート上に形成するためのトナー画像の次のトナー画像を前記感光ドラムに形成する動作を停止するように前記画像形成部を制御することを特徴とするものである。
【手続補正３】
【補正対象書類名】明細書
【補正対象項目名】００２０
【補正方法】変更
【補正の内容】
【００２０】
また本発明は、第１のシート収納部と、第２のシート収納部と、前記第１のシート収納部に収納されたシートを給送する第１給送部と、前記第２のシート収納部に収納されたシートを給送する第２給送部と、トナー画像が形成される感光ドラムと、感光ドラム上のトナー画像が転写される中間転写体と、を備え、前記中間転写体に転写されたトナー画像を、前記第１給送部および前記第２給送部によって給送されたシートに転写してシート上に画像を形成する画像形成部と、前記第１のシート収納部に収納されたシートの、前記第１給送部のシート給送方向の上流端部分に相当する位置で、前記第１のシート収納部内のシートを検知するシート検知センサと、前記シート検知センサの検知結果に応じて前記第１給送部および第２給送部の給送動作を制御する制御部と、を有し、前記制御部は、前記第１給送部が前記第１のシート収納部に収納されたシートを給送した際に、前記シート検知センサの検知結果に基づいて前記第１給送部が前記第１のシート収納部内の最後のシートを給送したことを認識し、かつ前記第１のシート収納部内の最後のシートを給送したことを認識したとき前記第２のシート収納部からシートを給送するよう前記第２給送部を制御することを特徴とするものである。